(57)【要約】  切り込みを有する外側レンズを備えた枠体が、使用者の顔に動かないで密閉するように一致して、切り込みに入り内部空間を往来して使用者の目に接触する浮遊微小粒子に対する空気抵抗を作り出す動かない空気障壁を作り出す。使用者は、外側レンズに堆積された浮遊微小粒子が使用者の視界を不明瞭とさせる場合でも、切り込みを通して見ることができる。あるいは、使用者の目に対して切り込みを有する外側レンズと、透明な部分を有する保護内側レンズとを備える枠体が、内側レンズと外側レンズとの間に作り出された内部空間と連通する吸気口を有する。携帯型の圧縮空気供給源が、圧縮空気を内部空間に導入して、切り込みを通じて外部に流れ出る空気流を作り出す。空気流は、浮遊微小粒子が切り込みを通って内部空間へと侵入することと、浮遊微小粒子が内側レンズと接触することとを防止して、透明性を維持させる。使用者は、圧縮空気供給源を運ぶことができ、また、自由に動くことができる。【選択図】図１
2014524330.tif 000002
【特許請求の範囲】
【請求項１】
使用者の目を覆うように着用するように構成された枠体と、
前記枠体に保持され、前記使用者がそれを通して見ることができる切り込みを前記使用者の目に対して備えた外側レンズとを備え、
改良が、前記使用者の目の前に前記レンズを位置付けるために、かつ、前記使用者の顔に動かないで密閉するように一致するために、かつ、前記使用者の目の前に動かないで密閉された内部空間を作り出すために、前記枠体を構成することを含み、
それによって、前記内部空間の空気は、前記内部空間を往来しつつ前記使用者の目に接触する浮遊微小粒子に対する空気抵抗を作り出す動かない空気障壁となり、
それによって、前記使用者は、前記外側レンズに堆積された浮遊微小粒子が前記使用者の視界を不明瞭とさせる場合でも、前記切り込みを通して見ることができる装置。
【請求項２】
請求項１に記載の装置において、
少なくとも前記使用者の目と前記切り込みとの間の部分において透明であり、前記外側レンズの後ろで前記枠体に保持された保護内側レンズをさらに備え、それによって、前記使用者は前記内側レンズの前記透明部分と前記切り込みとを通して見ることができる装置。
【請求項３】
請求項１に記載の装置において、
切り込みを備える前記外側レンズは、各々が前記使用者の目のうちの一方に対して切り込みを備える２つの外側レンズを備える装置。
【請求項４】
請求項２に記載の装置において、
切り込みを備える前記外側レンズは、各々が前記使用者の目のうちの一方に対して切り込みを備える２つの外側レンズを備え、
前記保護内側レンズは、各々が前記外側レンズのうちの対応する一方の後ろで、前記枠体に保持された２つの保護内側レンズを備える装置。
【請求項５】
請求項１に記載の装置において、
改良が、前記使用者の目と前記外側レンズとの間で前記枠体に設けられた吸気口を含んでおり、
それによって、吸気口端部とポンプ端部とを備える空気管が、前記吸気口端部において前記吸気口に接続され、圧縮空気供給源が、前記ポンプ端部において接続され、前記空気管を通して空気を送り出すとき、正の空気圧が前記内部空間に作り出され、空気流が前記切り込みを通じて外部に流れ出し、
それによって、浮遊微小粒子は、前記空気流によって、前記切り込みを通じて前記内部空間へと入ることと、前記使用者の目に接触することとが防止され、
それによって、前記使用者は、前記外側レンズに堆積された浮遊微小粒子が前記使用者の視界を不明瞭とさせる場合でも、前記切り込みを通して見ることができる装置。
【請求項６】
請求項５に記載の装置において、
少なくとも前記使用者の目と前記切り込みとの間の部分において透明であり、前記外側レンズの後ろで前記枠体に保持された保護内側レンズをさらに備え、それによって、レンズ間空間が、前記内側レンズと前記外側レンズとの間に作り出され、それによって、前記使用者は前記内側レンズの前記透明部分と前記切り込みとを通して見ることができ、
前記吸気口は、前記内側レンズと前記外側レンズとの間に設けられ、前記レンズ間空間と流体連通しており、
それによって、吸気口端部とポンプ端部とを備える空気管が、前記吸気口端部において前記吸気口に接続され、圧縮空気供給源が、前記ポンプ端部において接続され、前記空気管を通して空気を送り出すとき、正の空気圧が前記レンズ間空間に作り出され、空気流が前記切り込みを通じて外部に流れ出し、
それによって、浮遊微小粒子は、前記空気流によって、前記切り込みを通じて前記内部空間へと入ることと、前記使用者の目に接触することとが防止され、
それによって、前記透明部分の透明性が維持され、
それによって、前記使用者は、前記外側レンズに堆積された浮遊微小粒子が前記使用者の視界を不明瞭とさせる場合でも、前記切り込みを通して見ることができる装置。
【請求項７】
請求項５に記載の装置において、
切り込みを備える前記外側レンズは、各々が前記使用者の目のうちの一方に対して切り込みを備える２つの外側レンズを備える装置。
【請求項８】
請求項７に記載の装置において、
前記保護内側レンズは、各々が前記外側レンズのうちの一方の後ろで、前記枠体に保持された２つの保護内側レンズを備え、それによって、レンズ間空間が、各内側レンズと各外側レンズとの間に作り出され、
前記枠体に設けられた前記吸気口は、内側レンズと外側レンズとの間にそれぞれあり、それぞれがレンズ間空間と流体連通している２つの吸気口を備え、
それによって、吸気口端部とポンプ端部とを備える空気管が、前記吸気口端部において前記吸気口の各々に接続され、圧縮空気供給源が、前記ポンプ端部において接続され、空気を前記空気管を通して前記レンズ間空間へと送り出すとき、正の空気圧が前記レンズ間空間に作り出され、空気流が前記切り込みを通じて外部に流れ出し、
それによって、浮遊微小粒子は、前記空気流によって、前記切り込みを通じて前記レンズ間空間へと入ることと、前記内側レンズに接触することとが防止され、
それによって、前記内側レンズの前記透明部分の透明性が維持され、
それによって、前記使用者は、前記外側レンズに堆積された浮遊微小粒子が前記使用者の視界を不明瞭とさせる場合でも、前記切り込みを通して見ることができる装置。
【請求項９】
請求項５または６に記載の装置において、
吸気口端部とポンプ端部とを備え、前記吸気口端部において前記吸気口に接続される空気管と、
前記空気管の前記ポンプ端部に接続された携帯型圧縮空気供給源と
をさらに備え、
前記使用者は前記圧縮空気供給源を運ぶことができ、前記使用者は自由に動くことができる装置。
【請求項１０】
請求項１から８のいずれか一項に記載の装置において、
前記レンズの各々は、前記枠体と一体的に形成される装置。
【請求項１１】
請求項１から４のいずれか一項に記載の装置において、
前記枠体は、除去可能なように取り外し可能な眉フラップによって、前記使用者の顔に動かないで密閉するように一致するように構成される装置。
【請求項１２】
使用者の目を覆うように着用するように構成され、前記使用者の顔に動かないで密閉するように一致するように形成された枠体と、
前記使用者の目に対して切り込みを備え、前記使用者の目の前に動かないで密閉された内部空間を作り出すために前記使用者の目の前において前記枠体に設けられたレンズと
を備え、
それによって、前記内部空間の空気は、前記切り込みを通じた前記内部空間への浮遊微小粒子の侵入に対抗する動かない空気障壁となる装置。
【請求項１３】
請求項１２に記載の装置において、
切り込みを備える前記レンズは、各々が前記使用者の目のうちの一方に対して切り込みを備える２つの外側レンズを備える装置。
【請求項１４】
切り込みを備えたレンズを具備するアイウェアを用いるための方法であって、
吹き付け塗装を非毒性の塗料で行うとき、着用するために前記アイウェアを使用者に提供するステップを含み、
それによって、相当量の非毒性の浮遊塗料微小粒子が前記枠体と前記使用者の顔とに接触することで、前記使用者の目に接触する非毒性の浮遊微小粒子の量を実質的に減少させ、
それによって、前記使用者は、視界を不明瞭とさせる塗料微小粒子を取り除くために、作業を止める必要性を低減させる方法。
【請求項１５】
請求項１４に記載の方法において、
前記提供するステップは、前記使用者の目の前に前記レンズを位置付けるために、かつ、前記使用者の顔に動かないで密閉するように一致するために、かつ、前記使用者の目の前に動かないで密閉された内部空間を作り出すために構成された枠体によって行われ、
それによって、前記内部空間の空気は、前記内部空間への浮遊微小粒子の侵入に対抗する動かない空気障壁となる方法。
【請求項１６】
使用者の目を覆うように着用するように構成された枠体と、
前記枠体に保持され、前記使用者がそれを通して見ることができる切り込みを前記使用者の目に対して備えた外側レンズとを備え、
改良が、
前記枠体を正圧で前記使用者の顔に一致するように構成し、それによって正圧内部空間が前記使用者の目の前に作り出されることと、
前記外側レンズの後ろで前記枠体に設けられた吸気口が、前記正圧内部空間と流体連通していることと
を含み、
それによって、吸気口端部とポンプ端部とを備える空気管が、前記吸気口端部において前記吸気口に接続され、圧縮空気供給源が、前記ポンプ端部において接続され、前記空気管を通して空気を送り出すとき、正の空気圧が前記正圧内部空間に作り出され、空気流が前記切り込みを通じて外部に流れ出し、
それによって、浮遊微小粒子は、前記空気流によって、前記切り込みを通じて前記内部空間へと入ることと、前記使用者の目に接触することとが防止され、
それによって、浮遊微小粒子は、正圧によって、前記正圧内部空間へと入ることが防止され、
それによって、前記使用者は、前記外側レンズに堆積された浮遊微小粒子が前記使用者の視界を不明瞭とさせる場合でも、前記切り込みを通して見ることができる装置。
【請求項１７】
請求項１６に記載の装置において、
切り込みを備える前記外側レンズは、各々が前記使用者の目のうちの一方に対して切り込みを備える２つの外側レンズを備える装置。
【請求項１８】
請求項１６または１７に記載の装置において、
前記レンズは前記枠体と一体的に形成される装置。
【請求項１９】
請求項９に記載の装置において、
前記使用者によって着用される呼吸管を備えた呼吸マスクをさらに備え、前記圧縮空気供給源も前記呼吸管に接続される装置。
【請求項２０】
請求項１に記載の装置において、
前記外側レンズは前方へと隆起しており、前記切り込みは前記隆起の前で形成される装置。
【発明の詳細な説明】
【技術分野】
【０００１】
本発明は、使用者の目を浮遊微小粒子から保護することと、使用者の視界を不明瞭とさせてしまう浮遊微小粒子の蓄積を回避することとを同時に実現するアイウェアに関する。より詳細には、本発明は、浮遊塗料微小粒子が存在していても塗装人が作業し続けることができると共に自由に動くことができるように、任意で携帯型圧縮空気供給源を備えた、吹き付け塗装人が使用できる保護アイウェアに関する。しかしながら、本発明は、埃や花粉といった、アイウェアに蓄積する浮遊微小粒子の存在が視界を不明瞭とさせる可能性があるにもかかわらず、使用者の目を保護するとともに使用者に作業し続けさせ得ることが望まれるあらゆる状況において、用いることができる。
【０００２】
吹き付け塗装装置の使用者は、その装置を使用している間、「スプレーしぶき」と呼ばれる浮遊塗料微小粒子に曝される。塗料微小粒子は、空気中に浮遊し、使用者の目に接触する可能性がある。使用者は、ゴーグル、眼鏡、またはバイザなど、自身の目を保護するために保護アイウェアを使用できるが、塗料微小粒子は、アイウェアにすぐに蓄積し、使用者の視界を不明瞭とさせてしまうため、使用者は、アイウェアのレンズを清掃または交換するために作業を止めなければならない。これらの問題のため、使用者は、保護アイウェアを全く用いずに吹き付け塗装を行うと決めてしまうことがしばしばある。しかしながら、作業者の安全のため、保護アイウェアは、（浮遊微小粒子に加えて）破片や他の危険性から保護するために、使用者によって着用されるべきであり、また、保護アイウェアは安全規則によって義務づけられている可能性もある。さらに、ある種の塗装用途において、浮遊塗料微小粒子は、使用者の目にとって非常に有害である可能性があり、特に、塗料が水溶性溶剤以外に基づく有毒のもの、またはその他有害のものである場合、または、塗装が囲まれた環境において行われることで、塗装中に浮遊微小粒子の濃度が非常に高くさせられる場合、その可能性がある。
【０００３】
保護アイウェアを吹き付け塗装人に提供するという問題に対して多くの解決策が提案されてきたが、いずれも満足できるものではなかった。例えば、保護アイウェアの前面を横切ってまたは前面に向かって空気噴射を吹き付けて浮遊塗料微小粒子を吹き飛ばす装置が、数多く提供されてきた。しかしながら、アイウェアの前面を横切ってまたは前面に向かって吹き付けられた空気は、拡散して装置を効果のないものとさせてしまう可能性があり、また、浮遊微小粒子と混ざり合い、乱流の空気の流れおよび渦を作り出して浮遊微小粒子をアイウェアと接触させることになる可能性がある。さらに、これらの装置には、固定された圧縮空気供給源への接続を必要とし、その結果、使用者が自由に動くことができないものもある。
【０００４】
そのため、本発明の目的は、使用者の視界を不明瞭とさせ、それによって、使用者がアイウェアを清掃または交換できるまで作業を止めることになる塗料微小粒子の蓄積を回避する保護アイウェアを提供することである。
【０００５】
本発明のさらに別の目的は、使用者が自由に動くことができるような装置を提供することである。
本発明のさらに別の目的は、作るのが簡単で安価であるようなアイウェアを提供することである。
【背景技術】
【０００６】
大きなサングラスのような形をして目に対して切り込みが設けられた硬くて平らな木製のマスクを備える「スランティーズ（Ｓｌａｎｔｉｅｓ）」と名付けられたアイウェアが、２００９年に米国で発売された。しかしながら、この「スランティーズ」は、平らであり、そのため、どうしても使用者の顔に一致しなかった。
【０００７】
Ｖｉｎｃｉ  Ｇｕｅｒｒａらによる米国特許第５，７１８，５００号には、吸気室と一体に形成された第１のレンズから成り、空気ノズルが備えられた第２のレンズを通して第２のレンズの外に空気流をもたらす耐衝撃性正圧レンズが開示されている。空気ノズルは、空気の流れを第２のレンズの前へと向かわせて、塗料のスプレーしぶきが第２のレンズに付着するのを防止する。
【０００８】
Ｍｏｒｉｓｈｉｔａによる米国特許第４，０１１，８６５号には、顔を覆うタイプのマスクに加圧した空気を供給する小さな送風機を備えた、顔を覆う埃防止保護マスクが開示されている。可視窓がマスク本体の前面に設けられており、透明な保護ガラスが、その周りでの空気の吹き付けを可能にする適切な隙間が設けられた状態で、可視窓に向かい合って内側に取り付けられている。また、数多くの小さな隙間が、マスク本体の周囲の縁の内側と使用者の顔との間において周方向に形成され、空気の漏出を可能にしている。
【０００９】
Ｗｏｏｌｆｏｌｋ，Ｓｒ．による米国特許第３，２３１，８９７号には、ゴーグルにおける可視開放部の周りに空気の保護カーテンを設けて、埃微小粒子などがゴーグルの可視開放部に入るのを防止するゴーグル構造が開示されており、その目的のために透明なレンズを用いていない。複数の個々の排気口が、可視開放部の周りで空気のカーテンを形成するために設けられている。しかしながら、これらの個々の排気口は、枠体において周囲に形成されており、そのため、空気のカーテンは散逸または拡散され、それによって効果を失ってしまう可能性がある。さらに、圧縮空気供給源が携帯型なのか否かが開示されていない。
【００１０】
現在は放棄されている、Ｈｏｂａｒｔによる米国特許出願第１０／７２４，２３０号（米国特許出願公開第２００５／０１１４９８６（Ａ１）号）には、多くの離間された噴霧機を有する分岐管を備えて加圧空気の噴射をシールド上およびシールドの前方に送る塗装人のマスクが開示されている。
【００１１】
Ｐｈｉｌｌｉｐｓらによる米国特許第１，４６４，８８３号には、接眼部を取り囲むとともに吐出開口が周りに分布されている環状の導管を備える塗装人のマスクが開示されており、それによって、ガラスを取り囲む空気の流れが、ガラスの表面から少し前に離れた位置で交わることになる。
【００１２】
Ｐｏｋｈｏｄｎｙａらによる米国特許第３，９２２，７２２号には、外側に配置され、穿孔から出てくる空気を用いて噴霧流を迂回させるように用いられる穿孔管を備える保護筺体が開示されている。
【００１３】
Ｈｏｙｅｃｋｉによる米国特許第３，９２１，２２３号には、長さ方向に沿って穿孔されるとともに首を取り囲むように形成された中空管を備えた、溶接者用の空気遮蔽品が開示されており、その中空管には、空気の噴射を外向きへと向かわせて、煙を消散するとともに操作者を保護する空気の遮蔽またはカーテンを形成するように配置された開口部が設けられている。
【００１４】
Ｈｏｗｅｌｌによる米国特許第２，９７１，１９６号には、ゴーグルに付いている部材を通って送られる液体が外側表面を洗い流す取付洗浄手段を備えたゴーグルが開示されている。
【発明の概要】
【課題を解決するための手段】
【００１５】
上記および他の目的は、単一の単純なレンズの受動的な実施形態（ここで、「単純なレンズ」とは単一のレンズのことを表しており、「受動的な」とは圧縮空気のないことを表している）において、使用者の目を覆うように着用するように構成された枠体と、枠体に保持され、使用者がそれを通して見ることができる切り込みを使用者の目に対して備えた外側レンズとを備える装置によって達成される。改良が、使用者の目の前に動かないで密閉された内部空間を作り出すために、使用者の目の前にレンズを位置付けるとともに使用者の顔に動かないで密閉するように一致するように枠体を構成することを含む。内部空間の空気は、切り込みに入り内部空間を往来して使用者の目に接触する浮遊微小粒子に対する空気抵抗を作り出す動かない空気障壁となる。このようにすると、使用者は、外側レンズに堆積された浮遊微小粒子が使用者の視界を不明瞭とさせる場合でも、切り込みを通して見ることができる。
【００１６】
枠体は、好ましくは、動かないで一致するように形成されるか、または、密閉するガスケットが取り付けられるかによって、使用者の顔に動かないで密閉するように一致する。動かないで密閉された、または、動かないで密閉するように一致することは、完全に密閉されることを含んでおり、動かないで密閉された空間の空気が、動かない、静止する、または「停滞する」に少なくとも十分な密閉を意味し、そのため、流体によって運ばれる微小粒子の流れが、その流れの往来を可能にする任意の動かない媒介物からの抵抗に遭遇して停止するため、切り込みに入り内部空間を往来して使用者の目に接触する浮遊微小粒子に対する空気抵抗を作り出す。内部空間が動かないで密閉されているため、内部空間の空気は動かない空気の「ポケット」または「停滞空気」を形成し、そのため、使用者の目を浮遊微小粒子から実質的に保護する動かない空気障壁を提供する。実際、「停滞」空気の「ポケット」は使用者の体温によって加熱され、外部へといくらか膨張して、切り込みを通じた空気および浮遊微小粒子の侵入へのさらなる抵抗となる。
【００１７】
選択的に、複合レンズの実施形態では、使用者の目と外側レンズの切り込みとの間の部分で透明な内側レンズ（切り込みなし）が、使用者の目をより完全に保護するために、外側レンズと使用者の目との間に配置されてもよい。
【００１８】
また選択的に、枠体と切り込みを備えたレンズとは、一体的に形成されてもよく、その結果、枠体、枠体のレンズ開口、またはレンズは別々ではなくなる。
２つの簡単なレンズの受動的な実施形態では、各目に対して１つのレンズがあり、装置は、使用者の目を覆うように着用するように構成され、一致するように形成されるか、または、密閉するガスケットが取り付けられるかによって、使用者の顔に動かないで密閉するように一致する枠体を備える。各々が使用者の目のうちの一方に対して切り込みを備える一対のレンズは、レンズ保持体の各々によって、好ましくは取り外し可能に、動かないで密閉するように保持されており、その結果、使用者は切り込みを通して見ることができる。前述のように、これは、レンズと使用者の顔との間に、動かないで密閉された内部空間を形成する。内部空間は動かないで密閉されているため、内部空間の空気は、「停滞空気」の「ポケット」、つまり、動かない空気障壁を形成し、切り込みに入り内部空間を往来して使用者の目に入る浮遊微小粒子に対する抵抗をもたらし、そのため、実質的に使用者の目を浮遊微小粒子から保護することになる。実際、前述のように、「停滞」空気の「ポケット」は使用者の体温によって加熱され、外部へといくらか膨張して、切り込みを通じた空気および浮遊微小粒子の侵入へのさらなる抵抗となる。選択的に、一部において透明な、一対の取り外し可能な内側レンズが、使用者の目をより完全に保護するために設けられてもよい。また選択的に、枠体と切り込みを備えたレンズとは、一体的に形成されてもよい。
【００１９】
単一の複合レンズの能動的な実施形態（ここで、「複合レンズ」は、分割された内側レンズおよび外側レンズを意味し、「能動的」は、圧縮空気供給源を使用することを意味する）では、使用者の目を覆うように着用するように構成された枠体が提供され、使用者の目の各々に対して切り込みを備えた好ましくは取り外し可能な外側レンズが、使用者が切り込みを通して見ることができるように、枠体に保持される。少なくとも使用者の目と切り込みとの間の部分において透明である、好ましくは取り外し可能な保護内側レンズが、使用者が内側レンズの透明な部分と切り込みとの両方を通して見ることができるように、外側レンズの後ろで保持される。それにより、部分的に密閉された「レンズ間」空間が、内側レンズと外側レンズとの間に作り出される。レンズ間空間と流体連通する吸気口が、枠体を通じて設けられる。好ましくは、この構成により、圧縮空気供給源は、空気を、吸気口に接続された空気管を通してレンズ間空間へと送り出すとき、正の空気圧がレンズ間空間に作り出され、空気流が切り込みを通じて外部に流れ出る。部分的に密閉されることによって、レンズ間空間を完全に密閉することができるが、圧縮空気が吸気口を通してレンズ間空間に送り出されるとき、空気流が切り込みを通じて外部に流れ出ることでレンズ間空間が少なくとも十分に密閉されることを意味している。空気流は、浮遊微小粒子がレンズ間空間に入ることと内側レンズに接触することとを防止し、そのため、内側レンズの透明部分の透明性が維持される。したがって、使用者は、外側レンズにおいて浮遊微小粒子の何らかの蓄積があったとしても、内側レンズと外側レンズの切り込みとを通して見ることができる。単一のレンズの構造によって、この実施形態は、眼鏡を普段着用する人でも用いることができるが、それは、眼鏡の２つのレンズの間のブリッジ（鼻当部分）を、使用者の顔と内側レンズとの間の内部空間内に収めることができるためであり、これは、以下に説明するように、２つの分かれたレンズを備える実施形態の場合ではないであろう。好ましくは、圧縮空気供給源は、使用者が圧縮空気供給源を運ぶことができるとともに自由に動けるように、携帯型の圧縮空気供給源である。
【００２０】
２つの複合レンズの能動的な実施形態では、装置は、使用者の目を覆うように着用するように構成された枠体を備える。各々が使用者の目のうちの一方に対して切り込みを備える一対の好ましくは取り外し可能な外側レンズは、使用者が切り込みを通して見ることができるように、枠体に保持される。少なくとも使用者の目と切り込みとの間の部分において透明である、一対の好ましくは取り外し可能な内側レンズも、使用者が内側レンズの透明な部分と切り込みとの両方を通して見ることができるように、枠体に保持される。これは、各内側レンズと外側レンズとの間にレンズ間空間を形成する。吸気口は、枠体を通って延び、各内側レンズと外側レンズとの間のレンズ間空間と流体連通している。圧縮空気供給源が空気管を介して吸気口に接続される場合、正の空気圧がレンズ間空間に作り出され、空気流が切り込みを通じて外部に流れ出し、これが、浮遊微小粒子がレンズ間空間に入ることと内側レンズに接触することとを防止し、そのため、透明部分の透明性を維持することになる。また、好ましくは、使用者は、圧縮空気供給源を運ぶことができ、また、自由に動くことができる。
【００２１】
また好ましくは、圧縮空気供給源は、携帯型のコードなしで駆動されるポンプ、または、圧縮ガスキャニスタである。また好ましくは、保持体は、枠体に形成または付着された溝、隆起、または爪である。また好ましくは、外側レンズは透明である。
【００２２】
さらに別の実施形態では、本発明は、使用者の目を覆うように着用するように構成された枠体を用い、使用者の目の各々のための切り込みを備える方法を含んでおり、それによって、使用者の上下方向の視界が、使用者の目に接触する非毒性の浮遊微小粒子の量を実質的に減らすために、最大で約９０度となるが、これは、相当量の非毒性の浮遊塗料微小粒子が枠体または使用者の顔とに接触するためである。したがって、使用者は、視界を不明瞭とさせる塗料微小粒子を取り除くために、作業を止める必要がない。
【図面の簡単な説明】
【００２３】
【図１】涙滴形の切り込みを備えた一対のレンズ開口を有する保護アイウェアにある一対の空気吸気口に空気を供給する単一のポンプを備えた本発明による装置の正面からの斜視図である。
【図２】図１の保護アイウェアの背面からの図である。
【図３】図１のアイウェアの背面からの分解図である。
【図４】図１のアイウェアの一方の側部の上方からの断面図である。
【図５】一対のレンズ開口と代替の矩形構成の切り込みとを有する保護アイウェアの各側部に対して空気ポンプが設けられた本発明の第２の実施形態の正面からの斜視図である。
【図６】図５の空気ポンプの一方を支えるためにベルトに付いているホルスタの正面からの斜視図である。
【図７】選択的な補助的な肩吊紐を備えた、図６による２つのホルスタの正面図である。
【図８】２つの空気ポンプが、ベルト紐および肩吊紐を介して使用者に保持されている背負い具に支えられている、本発明の代替の実施形態の背面からの図である。
【図９】単一の圧縮空気タンクが一対のレンズ開口を備えるアイウェアに接続された一対の空気ホースに対して空気を供給する、本発明の別の代替の実施形態の正面図である。
【図１０】単一の圧縮空気タンクが、使用者の目に対して２つの涙滴形の切り込みを備えた単一のレンズ開口を備える保護アイウェアに、単一の空気管を介して空気を供給する、本発明のさらに別の代替の実施形態の正面図である。
【図１１】２つのレンズ開口を備えるが、空気吸気口または圧縮空気供給がない、本発明のさらに別の代替の実施形態の正面からの斜視図である。
【図１２】図１１の実施形態の背面からの斜視図である。
【図１３】空気吸気口または空気供給がないが矩形の切り込みおよび選択的な内側レンズを備えた２つのレンズ開口を備えた、本発明のさらに別の実施形態の背面からの分解図である。
【図１４】単一のレンズ開口を備えるが、空気吸気口または圧縮空気供給がない、本発明のさらに別の代替の実施形態の正面からの斜視図である。
【図１５】図１４の実施形態の背面からの斜視図である。
【図１６】本発明の装飾的実施形態の正面からの立面図である。
【図１７】図１６の実施形態で受け入れられる選択的なサングラスの嵌め込み部の左正面からの対角的な側方の立面図である。
【図１８】図１７の嵌め込み部の選択的なサングラス部を備えた図１６の実施形態の上方からの平面図である。
【図１９】図１６の実施形態の左側からの側方の立面図であり、右側からの側方の立面図はこれの鏡像である。
【図２０】図１７の嵌め込み部の選択的なサングラス部を備えた図１６の実施形態の左正面からの対角的な側方の立面図である。
【図２１】呼吸装置を備える本発明の別の実施形態の左からの斜視図である。
【図２２】使用者の目を覆うように着用するように構成されたマスクを構成する、より広範囲な枠体を備えた、別の代替の実施形態の左前からの斜視図である。
【図２３】図２２の実施形態の正面からの立面図である。
【発明を実施するための形態】
【００２４】
本発明を実施するための現在好ましいとされる最適な態様が、図１〜図２３において例を用いて示されている。
図１を参照すると、本発明による、現在好ましいとされる第１の実施形態の保護アイウェア２０が示されており、その保護アイウェア２０では、使用者の目を覆うように着用するように構成された枠体２２が一対のレンズ開口２４を有している。
【００２５】
好ましくは取り外し可能な一対の外側レンズ３０は、それぞれ好ましくは涙滴形の切り込み３４を備えており、周囲の外側レンズ保持体によって、レンズ開口に動かないで密閉するように保持されている（図４参照）。切り込みは好ましくは矩形または涙滴形であるが、この実施形態およびすべての他の実施形態における切り込みは、浮遊微小粒子の侵入を減少または防止するように十分小さくなっている限り、それを通して使用者が見ることができる任意の形であればよい。例えば、切り込みは、四角形、丸形、アーモンド形、半円形、ダイヤモンド形、または、任意の他の形であり得る。好ましくは、外側レンズ３０は、使用者が切り込み３４を通してよりも広い視界を得られるように、（すべての実施形態において）透明である。レンズ３０への塗料微小粒子または他の視覚妨害物の蓄積によって、より広い視界が不明瞭とされる場合、使用者は、任意所望のタイミングで、それらを拭き取ることによってより広い視界を回復させることができる。吸気口２６が、枠体２２に設けられている。空気管Ｔが、吸気口２６を圧縮空気供給源（ここでは携帯型のコードなしで駆動されるポンプ）４０につないでいる。
【００２６】
図２を参照すると、図１の保護アイウェア２０の背面からの図が示されている。選択的な密閉するガスケット５０が、アイウェア２０を着用したときに浮遊微小粒子が使用者の顔に接触するのを防止するために、枠体２２と使用者の顔との間に設けられる。図からわかるように、吸気口２６は枠体２２を通って延びている。
【００２７】
図３を参照すると、図１のアイウェア２０の一方の側部の背面からの分解図が示されている。図からわかるように、切り込み３４を備える好ましくは取り外し可能な外側レンズ３０は、レンズ開口２４に保持されており、吸気口２６は、管Ｔから外側レンズ３０と内側レンズ６０との間に作り出されるレンズ間空間への流体連通を提供する。好ましくは、内側レンズは、使用者が内側レンズ６０を通して切り込み３４の外を見ることができるように、少なくとも使用者の目と切り込み３４との間の部分において透明である。
【００２８】
図４を参照すると、図３のアイウェアの上方からの断面図が示されており、吸気口２６が内側レンズ６０と外側レンズ３０との間に作り出されたレンズ間空間と流体連通しているのが示されている。図からわかるように、好ましくは取り外し可能な外側レンズ３０は、保持溝３６に嵌まり込むことによって所定位置に保持されており、好ましくは取り外し可能な内側レンズ６０は、保持溝６２によって所定位置に保持されている。内側レンズ６０および外側レンズ３０は、清掃や交換のために、好ましくは取り外し可能であり、また、部分的に密閉されたレンズ間空間を形成するために、保持体によって好ましくは保持される。浮遊微小粒子が切り込み３４を通ってレンズ間空間に入ることと内側レンズ６０に接触することとを防止して、内側レンズ６０の透明性を維持するために、管Ｔを通して吸気口２６に送り出される空気が、レンズ間空間に正の空気圧を作り出し、その結果、空気が切り込み３４を通じて外部に流れ出すように、レンズ間空間は、好ましくは正圧で密閉される（以下で説明する）。吸気口２６からの空気は、使用者の目の乾燥を回避するために使用者の目から離れた方に向けられるように、吸気口２６が外側レンズ３０および切り込み３４の方を向くことが好ましい。注意しなければならないのは、吸気口２６は、好ましくは、切り込み３４に向けられた強い流れで空気を送らず、しかし好ましくは、浮遊微小粒子がレンズ間空間に入るのを防止するに十分に強い空気流ＡＳを発生させるために、レンズ間空間に正圧を作り出すに十分な空気を提供するだけである。
【００２９】
上述のように、動かないで密閉するように保持された、または、動かないで密閉するように一致する、または、動かないで密閉するように封じられたことによって、保持体または枠体は、気密のシールを形成する必要はないが、内部空間に保持された空気が動かなくなる、または、「停滞」空気となるだけのシールを提供することは必要になると意味される。使用者の顔に動かないで密閉するように一致すること（または、動かないシールを形成すること）は、（ａ）こめかみ、額、頬、眉、および鼻が、目を取り囲む使用者の顔の一部であると見なされる、目を取り囲む使用者の顔の一部だけに動かないで密閉するように一致すること、および、（ｂ）複合レンズを備える実施形態に関しては、枠体と使用者の顔との間で布、毛羽、または、シールしない他の接触体など、シールが形成されていない場合でも、相当量の浮遊微小粒子が枠体と使用者の顔との間を通過し、それによって使用者の目に接触するのを防止するために、使用者の顔に十分に一致することも、（限定することなく）含んでいる。切り込み３４は、好ましくは、少なくとも使用者が行われる必要のある作業を見ることができるに足る大きさであるが、管Ｔを通して内部空間へと送り出される空気が、浮遊微小粒子の空間への侵入を防止するために、空気流ＡＳを作り出すに十分な正の空気圧を作り出すに足るように小さくなっている。レンズ間空間を作り出すために外側レンズ３０によって内側レンズ６０を覆うことによって、吸気口２６を通して送り出される空気は、正圧と、切り込み３４から外部に流れ出す空気流ＡＳとを作り出し、外側レンズがない場合は、吸気口２６を通して送り出される空気は、内側レンズを横切って吹き付けて散逸されるだけである。切り込みによってもたらされる上下方向の視界は、使用者が自身の作業を行うに十分な大きさである必要があるだけである。実用的な上下方向の視界は約９０度から約１０度までの間であり、好ましい上下方向の視界は約６０度から約３０度までの間であり、最適な上下方向の視界は約４５度から約４０度までの間である。
【００３０】
図５を参照すると、枠体１２２と、外側レンズ１３０と、矩形の構成の切り込み１３４とを備えた代替の実施形態１２０が示されている。また、２つの空気管Ｔが設けられており、各々が、一端において別々のポンプ１４０に接続され、他端において吸気口１２６に接続されている。
【００３１】
図６を参照すると、本発明の圧縮空気供給源４０の現在の好ましい実施形態の拡大図が示されており、空気流量を制御する制御ノブ４４を有するバッテリ駆動のポンプを好ましくは備える。好ましくは、ポンプ４０は、使用者が着用できるベルトＢに付いているホルスタＨで保持させることができる。選択的には、ポンプ４０は、ストラップＳによってホルスタＨに保持することができる。選択的には、ポンプ４０がホルスタを通り抜けてしまうのを防止するために、縁Ｌがポンプ４０に設けられるが、これは、ホルスタＨが底部を有していないのが好ましいためである。
【００３２】
図７を参照すると、使用者によって着用される肩吊紐ＳＳを備え、かつ、ベルトＢを保持するための選択的なスナップ留め金ＳＢを備えた、図６によるホルスタＨが２つ示されている。
【００３３】
図８を参照すると、ホルスタＨが、ベルトＢによって保持される背負い具ＢＰによって、使用者の背中に保持される代替の実施形態が示されている。
図９を参照すると、２つのレンズ開口３２４を備える枠体３２２を有するアイウェア３２０を備える本発明の別の代替の実施形態が示されている。前述の他の実施形態と同様に、切り込み３３４を有する好ましくは取り外し可能な外側レンズ３３０が、レンズ開口３２４に保持されており、空気管Ｔが吸気口３２６に接続される。この実施形態において、圧縮空気供給源３４０は、空気流量を制御する調整器３４４を備えた圧縮空気ボトルである。
【００３４】
図１０を参照すると、単一のレンズ開口４２４を備えた枠体４２２を有するアイウェア４２０を備える別の代替の実施形態が示されており、そのアイウェア４２０では、２つの切り込み４３４を有する好ましくは取り外し可能な単一の外側レンズ４３０が、レンズ開口４２４に保持されている。単一の外側レンズ４３０と単一の内側レンズ（図示せず）とだけがあるため、単一の吸気口４２６だけが必要とされる。この実施形態では、圧縮空気供給源は圧縮空気タンクである。
【００３５】
前述の説明からわかるように、作動中、外側レンズ４３０の切り込み４３４は、空気流ＡＳによって浮遊微小粒子のないように維持され、そのため、使用者は常に切り込みを通して見ることができる。職業的な安全規則が、作業者の目が保護されることを必要とするため、内側レンズ（図示せず）も設けられることが好ましい。
【００３６】
先行技術は、浮遊微小粒子が透明な内側レンズに接触することを防止し、それによって、吹き付け塗装の間に、内側レンズの透明性と、切り込みを通して見ることができる使用者の能力とを維持するために、内側レンズと外側レンズとの間に作り出されるとともに空気流が外側レンズの切り込みを通じて直に外部に流れ出す部分的に密閉されたレンズ間空間を、開示または提案していない。先行技術は、単一のレンズを横切って、または、レンズの周囲から前方に、空気を吹き付けることに主に関連している。さらに、先行技術は、このようなアイウェアと組み合わせることで使用者が自由に動くことができる携帯型の圧縮空気供給源を使用することを、開示または提案していない。
【００３７】
図１１を参照すると、アイウェア５２０を備えるさらに別の代替の実施形態が示されており、そのアイウェア５２０は、使用者の顔に動かないで密閉するように一致する形状にされるとともに一対のレンズ開口５２４を有する枠体５２２を有している。好ましくは取り外し可能な一対の外側レンズ５３０は、それぞれ切り込み５３４を有し、使用者の目の前で、レンズ保持体（図４参照）によって、レンズ開口に保持されている。好ましくは、この実施形態は、外側レンズのみを備えるが、内側レンズが選択的に設けられてもよい。
【００３８】
図１２を参照すると、図１１の保護アイウェア５２０の背面からの図が示されている。選択的な密閉するガスケットが、アイウェア５２０を着用するときに、浮遊微小粒子が使用者の目と接触するのを防止するために、レンズ５５０の縁の周りに位置付けられてもよい。
【００３９】
図１３を参照すると、アイウェア６２０を備えるさらに別の実施形態の背面からの分解図が示されており、そのアイウェア６２０は、使用者の目を覆うように着用するように構成されるとともに一対のレンズ開口６２４を有する枠体６２２を有している。図からわかるように、矩形の切り込み６３４を有する好ましくは取り外し可能な外側レンズ６３０が、レンズ開口６２４に保持されており、選択的な密閉するガスケット６５０が、レンズ６３０と使用者の顔との間に、動かないで密閉された内部空間を形成する。選択的な内側レンズ６６０が設けられてもよい。好ましくは、内側レンズは、少なくとも使用者の目と切り込み６３４との間の部分において透明である。
【００４０】
図１４を参照すると、アイウェア７２０を備えるさらに別の代替の実施形態が示されており、そのアイウェア７２０は、一体的に形成された単一のレンズ７３０を有するとともに使用者の目を覆うように着用するように構成された枠体７２２を有し、単一のレンズ７３０は、使用者の目の前に位置付けられる切り込み７３４を有する。この実施形態は、可撓性のある材料から枠体７２２を構成することで、使用者の顔に動かないで密閉するように一致する形状とされており、選択的に、潜水マスクに関連して従来からあるような、枠体７２２から延びる柔軟なフラップ７６０を備えている。しかしながら、枠体７２２を使用者の顔に動かないで密閉するように一致するように形成する任意の方法が、使用者の顔に一致するようにアイウェアを形成するために考慮される。フラップ７６０は、図に示すような眉フラップ、こめかみフラップ、または、頬フラップを含み得る。選択的に、眉フラップは、スプレーしぶきが上から使用者の目に落ちてくるのを妨げるために、枠体に取り外し可能に取り付け可能で分離可能な部材であってもよい。
【００４１】
図１５を参照すると、図１４の保護アイウェア７２０の背面からの図が示されている。枠体７２２から外へと延びるフラップ７６０は、使用者の顔に動かないで密閉するように一致して、一体的に形成されたレンズ７３０および枠体７２２と使用者の顔との間に、動かないで密閉された内部空間を作り出す。この内部空間は、使用者の体温によってさらに膨張される可能性のある動かない「停滞空気」で満たされているため、切り込み７３４を通じた浮遊微小粒子の侵入への抵抗となる。さらに、停滞空気に侵入する任意の浮遊微小粒子は、使用者の目と必ずしも接触しない。つまり、浮遊微小粒子は、アイウェア７２０の内側表面や使用者の顔（目以外）に積もる可能性があり、また、使用者の体温による停滞空気の膨張によって、または、使用者のまぶたやまつ毛のまばたきによって引き起こされる空気の流れによって、使用者の目から離れるように動かされる可能性すらある。一部の浮遊微小粒子がなおも使用者の目に接触したとしても、目に接触するこの微小粒子の数は大幅に減らされることになる。
【００４２】
図１６〜図２０を参照すると、本発明の代替の様式的な実施形態について可能な装飾的な設計が示されている。
図１６を参照すると、アイウェア８２０を備えるさらに別の代替の実施形態の正面図が示されており、そのアイウェア８２０は、使用者の目を覆うように着用するように構成される枠体８２２を有し、使用者の目に対して２つの切り込み８３４を備えている。好ましくは、凹形装飾帯８５０が枠体８２２に形成され、端部つまみ８７０（図１７参照）を受け入れる切り欠き部８８０（図１８参照）が、凹形装飾帯８５０に形成される。
【００４３】
図１７を参照すると、切り欠き部８８０同士の間で枠体８２２にある凹形装飾帯８５０の前部に、好ましくは動かないで密閉するように一致する選択的な弓形サングラス部８６０の斜視図が示されており、その弓形サングラス部８６０は、枠体８２２に保持されるために、内向きに突出するとともに、（図１８に示すように）、枠体８２２（図１８参照）の凹形装飾帯８５０における切り欠き部８８０によって受け入れられる端部つまみ８７０を、好ましくは有する。
【００４４】
図１８を参照すると、図１６のアイウェア８２０の上方からの平面図が示されており、そのアイウェア８２０は、端部つまみ８７０を凹形装飾帯８５０の切り欠き部８８０に嵌め入れることで枠体８２２に保持された弓形サングラス部８６０を備えている。
【００４５】
図１９を参照すると、図１８のアイウェア８２０と弓形サングラス部８６０との組み合わせの側方の立面図が示されており、使用者の目に対する切り込み８３４と凹形装飾帯８５０とを示しており、端部つまみ８７０を受け入れることで枠体８２２の切り込み８３４を覆うように弓形サングラス部８６０を所定の位置に保持するために、凹形装飾帯８５０に切り欠き部８８０が形成されている。
【００４６】
図２０を参照すると、図１８のアイウェア８２０と弓形サングラス部８６０との組み合わせの側方からの斜視図が示されている。
図２１を参照すると、毒性または他の望ましくない煙のある環境で使用するための呼吸装置を備える、本発明の別の実施形態の前からの斜視図が示されており、この実施形態は、２つの切り込み９３４を備えた枠体９２２を有するアイウェア９２０と、ゴーグル端部で枠体９２２の吸気口（図示せず、図１の部分２６参照）につながる空気管Ｔとを備えている。圧縮空気供給源（ここでは携帯型のコードなしで駆動されるポンプ）９４０が提供され、空気流量を制御する制御ノブ９４４を有している。圧縮空気供給源９４０は、好ましくは、空気カートリッジフィルタなどのフィルタ９４８を備えた空気吸入口を有する。好ましくは、圧縮空気供給源９４０は、呼吸枝管９９２とゴーグル枝管９９４とを有する「Ｙ字形」コネクタ９９０によって、空気管Ｔに接続され、そのゴーグル枝管９９４に空気管Ｔが取り付けられる。好ましくは、空気調整器９９６は、空気管Ｔへの空気流を制御するために、ゴーグル枝管９９４に設けられる。また好ましくは、呼吸管ＢＴは呼吸枝管９９２に取り付けられ、空気嚢（ａｉｒ  ｂｌａｄｄｅｒ）ＡＢが呼吸管ＢＴに選択的に設けられる。図からわかるように、使用者は、従来からのカートリッジフィルタＣＦである、２つの取り外し可能なフィルタを一般的に有する、従来の呼吸マスクＲを着用している。図からわかるように、カートリッジフィルタＣＦのうちの一方は、息を吐くときに閉じて息を吸うときに開く逆止弁９９８によって好ましくは交換され、その逆止弁９９８には呼吸管ＢＴが取り付けられる。従来の呼吸マスクＲは、空気をカートリッジフィルタＣＦを通して引き込まなければならないため、呼吸に対する抵抗となる。この実施形態では、圧縮空気供給源が、息を吸い込む間、呼吸枝管９９０、呼吸管ＢＴ、および逆止弁９９８を通じて、追加の空気を呼吸マスクＲへと送り出すことによって、呼吸を助けることができる。選択的な空気嚢ＡＢは、息を吐いている最中に逆止弁９９８が閉じられている間、圧縮空気供給源９４０から空気を受け取り、その受け取った空気を、息を吸っている最中に逆止弁９９８が開いているとき、吸い込むことができる。このようにすると、より少ない空気流の圧縮空気供給源９４０を用いることができるが、これは、使用者が息を吸う最中だけ空気嚢から呼吸するにもかかわらず、空気嚢を、息を吸う最中と吐く最中との両方において満たすことができるためである。空気嚢がない場合、使用者が息を吐く最中に、逆止弁９９８が閉ざされて空気流を妨げることになるため、圧縮空気供給源９４０は、使用者の吸い込みに見合うように、より大量の空気流を提供する必要がある。換言すれば、圧縮空気供給源９４０が一定の空気流を提供するが、使用者の呼吸は吸い込みと吐き出しとを交互に行う間欠的なものであるため、空気嚢は貯留部を提供している。
【００４７】
図からわかるように、空気は、圧縮空気供給源９４０からゴーグル枝管９９４および空気管Ｔを通ってゴーグル９２０へも流れて、前述の他の実施形態との関連で説明したように、塗料微小粒子の蓄積を防止する、または、その蓄積の抵抗となる、切り込み９３４を通じた外部への空気流を作り出す。空気調整器９９６は、圧縮空気供給源９４０の制御ノブ９４４（これは、呼吸管ＢＴと空気管Ｔとの両方を通る空気流を制御する）とは別に、空気管Ｔを通って流れる空気に対する制御を可能にする。
【００４８】
図２２を参照すると、使用者の目を覆うように着用するように構成されたマスクを構成する、より広範囲な枠体１０２２を有するアイウェア１０２０を備えた、さらに別の代替の実施形態の斜視図が示されている。好ましくは、外側レンズは、隆起部１０３５（好ましくは、しかし必要とは限らないが、透明な）であるか、または、隆起部１０３５を有しており、その隆起部１０３５は、前方に突出し、使用者の目に対して隆起部の前で形成された２つの切り込み１０３４を備えている。隆起部は、切り込みに対し出っ張りを効果的に形成している。好ましくは、枠体１０２２は、プラスチックまたはゴムなど、切り込み１０３４および隆起部１０３５を所定の位置に維持するのに十分に硬いが、マスクが使用者の顔に動かないで密閉するように一致することができるように十分に柔軟である可撓性の材料から作ることができる。突出する隆起部１０３５は、切り込み１０３４と使用者の目との間に、より深いポケットの停滞空気を作り出して、使用者の目に接触する可能性のある浮遊微小粒子を防止または最小限にする。この実施形態は、ストラップ、テンプル部材、または他の従来の機構（図示せず）によって使用者の顔に保持させることができる。
【００４９】
図２３は、図２２の実施形態の正面図である。
図１〜図１０および図２１の実施形態は、それらが圧縮空気の供給源を利用するため、能動的な実施形態であり、そのため、浮遊微小粒子が毒性またはその他の有害であるため、使用者の目との最低限の接触も避けるべきであるような場合でも使用できる。圧縮空気は、正圧を作り出して、空気を切り込みから外部へと流れ出させる。正圧があるため、枠体およびレンズは、（上記で定めたように）使用者の顔に動かないで密閉するように一致する必要はなく、空気が切り込みを通して外部へと流れ出ることに加えた、圧縮空気が使用者の目の前に多量の正圧を作り出すのに十分であるように、枠体が使用者の顔に一致する、または、使用者の顔に対して密閉されることが必要とされるだけである（「正圧一致」または「正圧密閉」と呼ばれる）。
【００５０】
図１１〜図２０、図２２、および図２３の実施形態は、圧縮空気供給源が必要でない（そのため、使用者は自由に動ける）ため、受動的な実施形態である。その代わり、枠体は、使用者の顔に動かないで密閉するように一致し（一致するような形状とさせることで、または、顔に接触する密閉ガスケットもしくは外へと延びるフラップを有することで、または、何らかの他の密閉構造によって）、また、枠体は、それぞれ外側レンズに１つの切り込みが備えられた、２つの切り込みを備える単一の単純なレンズ、または２つの単純なレンズ（それぞれ１つの切り込みを備える）、または外側レンズに２つの切り込みを備える単一の複合（二重）レンズ、または２つの複合（二重）レンズを支持して、またはそれらレンズと一体的に形成されて、使用者の目の前に（枠体、１つまたは複数のレンズ、および使用者の顔の間に（および、複合（二重）レンズについてはレンズ間空間にも））動かないで密閉された内部空間を形成する。内部空間は、それの部分的な密閉が内部空間に「停滞空気」のポケットを作り出し、空気および浮遊微小粒子の切り込みを通した内部空間への流れを防止または減少させる動かない空気障壁を構成するに十分な深さである。さらに、使用者の体温は、内部空間の空気を加熱しようとすることになるため、停滞空気を膨張させて、空気および浮遊微小粒子の切り込みを通した流れをさらに防止または減少させる。浮遊微小粒子は、切り込みに蓄積することはできず、使用者の視界を妨げることはできない。内部空間に侵入するすべての浮遊微小粒子を妨げることはできないけれども、ほとんどの微小粒子が内部空間から遮断され、切り込みを通って移動する微小粒子は、使用者の目ではなく、使用者の顔もしくはまつ毛、または、レンズの枠体もしくは内部に付着する可能性がある。一部の浮遊微小粒子は、最終的に、切り込みを通って移動し、使用者の目に接触する可能性があるが、使用者の目に接触する微小粒子の数は大幅に減らされ、これは、塗装人の目が完全に保護されていない現在の業界の実情に対してほとんど計り知れない改善である。相当の風の条件では、浮遊微小粒子は切り込みを通して吹き付けられる可能性があることは理解できるが、吹き付け塗装人などの使用者は、いずれにしても、このような風のある条件の下では作業しないであろう。実際、設計者などは、吹き付け塗装は、風が１時間当たり約１６〜３２キロメートル（１時間当たり約５〜１０マイル）を超える場合、風が塗料を運び去ってしまうことになるため、行うことはできないことを明確にしている。
【００５１】
図１６〜図２０、図２２、および図２３の受動的な実施形態は、好ましくは非毒性の塗料を吹き付けるときに使用するための、もっとも簡単な実施形態である。塗料が非毒性であるため、浮遊塗料微小粒子が使用者の目に接触するのを完全に防止する必要がない（しかし、相当の割合が接触するのを防止するのが望ましい）一方で、アイウェアを取り外して清掃するために作業を止める必要性をさらに減らせる。したがって、この実施形態は、枠体が塗料微小粒子と使用者の目との間に介在されているため、使用者の目の曝露を減らすことによって、使用者の目に接触する塗料微小粒子の量を減らせる。その結果、浮遊塗料微小粒子は、使用者の顔または枠体に最初に接触しない場合に、枠体の周囲の周りで、または、切り込みを通って移動することで、使用者の目に接触する可能性があるだけである。さらに、使用者のまつ毛は、使用者がまばたきしたとき、空気を流し、浮遊塗料微小粒子を使用者の目から運び去っていこうとする空気流を作り出すことになる。このようにすると、完全ではないが、非毒性の浮遊塗料微小粒子からの使用者の目の実質的な保護がもたらされ、したがって、アイウェアを取り外して清掃するために作業を止める必要性を減らせる。
【００５２】
図１６〜図２０の実施形態は、前部に沿って凹んだ装飾帯を有していることで、格好がよくて装飾的になっており、そのため、使用者は本実施形態を着用することについて人目を気にすることはない。選択的な嵌め込み式のサングラス部８６０が、帯の凹前部に嵌まるように設けられており、そのため、アイウェア８２０は、使用者が吹き付け塗装をしないときにも使用することができる。浮遊微小粒子がサングラス部に付着するため、サングラス部は、好ましくは、使用者が吹き付け塗装をするときには使用されない。
【００５３】
図１１〜図２０の実施形態を変形して、レンズまたは切り込みを外側に延出させることは、好ましい可能性がある。レンズは、半球形または円筒形にする（使用者が半球形の内側部分または円筒形の後端部を通して外を見る状態）などの何らかの方法でレンズを外側に隆起させることによって、外側に延出できることになり、その結果、切り欠きから使用者の目までの距離を長くし、それによって、例えば図２２および図２３の実施形態に示すように、塗料微小粒子が使用者の目に接触できる前に往来させられなければならない、動かない空気障壁（「停滞」空気のポケット）をより深くなるように作り出せる。あるいは、切り込みは、外側に延出する中空の管を切り込みに設けることによって、外側に延出できることになり、その結果、使用者は中空の管を通して見ることができる。その管の外部の断面は任意所望の形状であればよく、また、中空の内部の断面は、同じ形状または任意の他の形状を有することができるが、好ましくは切り込みの形状に実質的に一致する。外側に延出する管は、スプレーしぶきが停滞空気を往来できて使用者の目に接触できることになってしまう角度範囲を、狭めることにもなる。
【００５４】
天井を吹き付け塗装するときなど、使用者が上方を見るときに、切り込みを通して落ちてくる浮遊微小粒子の侵入を減らすために、切り込みの上方で外側に延出する眉または縁を追加するように、任意の実施形態を変形することも、好ましい可能性がある。
【００５５】
図２１の能動的な実施形態によって、本発明を、毒性または他の望ましくない煙のある環境で、または、さもなければ煙の中での呼吸を回避するために呼吸マスクを使用することが望まれる場合に用いることが可能になる。さらに、図２１の実施形態では、本発明は、既存の呼吸マスクを所有している使用者によって実施することができ、使用者は、アイウェア９２０、空気管Ｔ、空気調整器９９６の付いた「Ｙ字形」接続具９９０、逆止弁９９８、空気嚢ＡＢの付いた呼吸管ＢＴ、および圧縮空気供給源９４０だけを購入する必要があり、それらすべてが付属品キットとして一緒に販売されてもよい。
【００５６】
図２２および図２３の受動的な実施形態は、使用者の顔のより多くを覆い、浮遊微小粒子が使用者の目に接触するのをより困難にさせることができる。
上記の実施形態のすべてにおいて、切り込みは、上下方向における使用者の視界（「上下方向の視界」）を必然的に制限することになる。切り込みを通して侵入できる塗料微小粒子の量を最小化させるために、切り込みを、使用者が塗装される領域を見ることができることを可能にする最小の大きさにすることが考えられる。しかしながら、これは好ましくない。塗装されている領域を見ることに加えて、使用者は、吹き付け塗装の最中に移動するとき、周囲にある物体や他の材料によって怪我をするのを回避するために、周囲を十分に見ることができなければならない。吹き付け塗装は、本質的に、大きな領域を塗装するために用いられるため、吹き付け塗装人は、塗装しながら移動しなければならない。したがって、吹き付け塗装人は、吹き付け塗装をしながら移動するときに自身の周囲を安全に見ることができるように、本発明を着用しつつ十分に見ることができなければならない。約９０度から約１０度までの間の上下方向の視界は実用的であり、約６０度から約２０度までの間の上下方向の視界は好ましいとされ、約４５度から約３０度までの間の上下方向の視界は最適である。
【００５７】
また、前述の能動的な実施形態では、切り欠きは、約３１ミリメートル（「ｍｍ」）（１−１／４インチ）から約３ｍｍ（１／８インチ）までの間の実用的な範囲内、約１９ｍｍ（３／４インチ）から約３ｍｍ（１／８インチ）までの間の好ましい範囲内、約１３ｍｍ（１／２インチ）から約６ｍｍ（１／４インチ）までの間の最適な範囲内で、最大高さを有し、また、目の角膜から切り欠きまでの距離が、約７６ｍｍ（３インチ）から６ｍｍ（１／４インチ）までの間の実用的な範囲内、約３８ｍｍ（１−１／２インチ）から６ｍｍ（１／４インチ）までの間の好ましい範囲内、約１６ｍｍ（５／８インチ）から６ｍｍ（１／４インチ）までの間の最適な範囲内にある。これらの切り込みの高さと角膜から切り込みへの距離との組み合わせを選択すること、および、任意所望の上下方向の視界を達成するために他の組み合わせを選択することは、通常の技術者の技量内に十分あるものである。
【００５８】
上記の開示された実施形態のすべては、保護アイウェアを清掃するために、または、前述の保護アイウェアによる怪我の危険性があるために、塗装を止める必要性による損失時間や効率の長期にわたる未解決問題を解決する。レンズおよび選択的に枠体は、透明（色付きを含む）であることが好ましく、その結果、使用者は、レンズが塗料または他の浮遊微小粒子によって一部または完全に不明瞭となった後であっても、切り込みを通してなおも見ることができるため、塗装を続けることがきる。このようにすると、使用者は、切り込みを通して得られる視界よりも大きな視界が望まれるため、レンズを清掃するために、塗装を止めるかどうか、および、塗装をいつ止めるかを決定できる。すべてのレンズが取り外し可能および交換可能であることも好ましく、その結果、例えば、異なる形状および大きさの切り込みを有するレンズ、異なる色を有するレンズ、または、傷、汚れ、および古い塗料のない新しいレンズを使用することができる。用語「枠体」は、レンズを完全に取り囲む枠体に限定されず、レンズが一部（上部など）にだけ取り付けられる枠体も含んでいる。当然ながら、レンズは、枠体と一体的に形成されて枠体のないアイウェアを提供することができ、枠体のないアイウェアは、レンズ開口と、それらレンズ開口に保持されたレンズとを備えたアイウェアと同等のものとなる。一体的に形成されることは、レンズがレンズ同士（２つのレンズの実施形態について）の間に鼻当部分、および、単一または複数のレンズの両側に取り付けられるテンプル部材を有していることによって所定の位置に保持される場合も含み、それらのすべてが単一または複数のレンズに直に連結されることで、アイウェアは枠体なしとなる。
【００５９】
当然ながら、すべての実施形態は、幅の調整可能な鼻当部分、枠体にレンズを保持するための代替の方法（例えば、磁石による方法）、または、アイウェアを使用者の顔に保持するための代替の方法（例えば、ストラップ）など、従来のアイウェアの他の構造的な特徴と組み合わされて用いることができる。
【００６０】
本発明は、吹き付け塗装をする作業者のための目の保護に関連する職場の安全規則に適合させる問題に対して、実用的な解決策を提供する。
本発明は、本明細書で説明した現在の好ましい実施形態に関連して開示されたが、特許請求の範囲によって定義される、本発明の精神および範囲内にある他の実施形態があり得ることは理解されるべきである。例えば、内側レンズおよび外側レンズの両方を備えたこの発明の実施形態は、完全に透明な内側レンズ、または、使用者の目と切り込みとの間の部分で透明であるだけの内側レンズで実施することができる。したがって、特許請求の範囲で具体的および明確に説明されていることを除いて、本発明で暗示または推論される限定はない。
【産業上の利用可能性】
【００６１】
本発明は、吹き付け塗装器具の使用者に対する保護および／またはお洒落なアイウェアを提供することが望まれるあらゆる場合、または、視認性を維持しつつ浮遊微小粒子に対する保護が望まれるあらゆる場合に、用いることができる。
【図１】
2014524330.tif 000003
【図２】
2014524330.tif 000004
【図３】
2014524330.tif 000005
【図４】
2014524330.tif 000006
【図５】
2014524330.tif 000007
【図６】
2014524330.tif 000008
【図７】
2014524330.tif 000009
【図８】
2014524330.tif 000010
【図９】
2014524330.tif 000011
【図１０】
2014524330.tif 000012
【図１１】
2014524330.tif 000013
【図１２】
2014524330.tif 000014
【図１３】
2014524330.tif 000015
【図１４】
2014524330.tif 000016
【図１５】
2014524330.tif 000017
【図１６】
2014524330.tif 000018
【図１７】
2014524330.tif 000019
【図１８】
2014524330.tif 000020
【図１９】
2014524330.tif 000021
【図２０】
2014524330.tif 000022
【図２１】
2014524330.tif 000023
【図２２】
2014524330.tif 000024
【図２３】
2014524330.tif 000025
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
使用者の目を覆うように着用するように構成された枠体（２２）と、
前記枠体に保持され、前記使用者がそれを通して見ることができる切り込みを前記使用者の目に対して備えた外側レンズ（３０）と
を備えた装置であって、
前記枠体は、前記使用者の目の前に前記レンズを位置付けるために、かつ、前記使用者の顔に動かないで密閉するように一致するために、かつ、前記使用者の目の前に動かないで密閉された内部空間を作り出すために構成され、
それによって、前記内部空間の空気は、前記内部空間を往来しつつ前記使用者の目に接触する浮遊微小粒子に対する空気抵抗を作り出す動かない空気障壁となり、
それによって、前記使用者は、浮遊微小粒子が前記外側レンズに堆積され、前記使用者の視界を不明瞭とさせる場合でも、前記切り込みを通して見ることができる
装置。
【請求項２】
請求項１に記載の装置において、
少なくとも前記使用者の目と前記切り込み（３４）との間の部分において透明であり、前記外側レンズ（３０）の後ろで前記枠体（２２）に保持された保護内側レンズ（６０）をさらに備え、それによって、前記使用者は前記内側レンズの前記透明部分と前記切り込みとを通して見ることができる装置。
【請求項３】
請求項１に記載の装置において、
切り込み（３４）を備える前記外側レンズ（３０）は、各々が前記使用者の目のうちの一方に対して切り込みを備える２つの外側レンズを備える装置。
【請求項４】
請求項２に記載の装置において、
切り込み（３４）を備える前記外側レンズ（３０）は、各々が前記使用者の目のうちの一方に対して切り込みを備える２つの外側レンズを備え、
前記保護内側レンズ（６０）は、各々が前記外側レンズのうちの対応する一方の後ろで、前記枠体（２２）に保持された２つの保護内側レンズを備える装置。
【請求項５】
請求項１に記載の装置において、
改良が、前記使用者の目と前記外側レンズ（３０）との間で前記枠体（２２）に設けられた吸気口（２６）を含んでおり、
それによって、吸気口端部とポンプ端部とを備える空気管（Ｔ）が、前記吸気口端部において前記吸気口に接続され、圧縮空気供給源が、前記ポンプ端部において接続され、前記空気管を通して空気を送り出すとき、正の空気圧が前記内部空間に作り出され、空気流が前記切り込み（３４）を通じて外部に流れ出し、
それによって、浮遊微小粒子は、前記空気流によって、前記切り込みを通じて前記内部空間へと入ることと、前記使用者の目に接触することとが防止され、
それによって、前記使用者は、前記外側レンズに堆積された浮遊微小粒子が前記使用者の視界を不明瞭とさせる場合でも、前記切り込みを通して見ることができる装置。
【請求項６】
請求項５に記載の装置において、
少なくとも前記使用者の目と前記切り込み（３４）との間の部分において透明であり、前記外側レンズ（３０）の後ろで前記枠体（２２）に保持された保護内側（６０）レンズをさらに備え、それによって、レンズ間空間が、前記内側レンズと前記外側レンズとの間に作り出され、それによって、前記使用者は前記内側レンズの前記透明部分と前記切り込みとを通して見ることができ、
前記吸気口（２６）は、前記内側レンズと前記外側レンズとの間に設けられ、前記レンズ間空間と流体連通しており、
それによって、吸気口端部とポンプ端部とを備える空気管が、前記吸気口端部において前記吸気口に接続され、圧縮空気供給源が、前記ポンプ端部において接続され、前記空気管を通して空気を送り出すとき、正の空気圧が前記レンズ間空間に作り出され、空気流が前記切り込みを通じて外部に流れ出し、
それによって、浮遊微小粒子は、前記空気流によって、前記切り込みを通じて前記内部空間へと入ることと、前記使用者の目に接触することとが防止され、
それによって、前記透明部分の透明性が維持され、
それによって、前記使用者は、前記外側レンズに堆積された浮遊微小粒子が前記使用者の視界を不明瞭とさせる場合でも、前記切り込みを通して見ることができる装置。
【請求項７】
請求項５に記載の装置において、
切り込みを備える前記外側レンズ（３０）は、各々が前記使用者の目のうちの一方に対して切り込みを備える２つの外側レンズを備える装置。
【請求項８】
請求項７に記載の装置において、
前記保護内側レンズ（６０）は、各々が前記外側レンズ（３０）のうちの一方の後ろで、前記枠体（２２）に保持された２つの保護内側レンズを備え、それによって、レンズ間空間が、各内側レンズと各外側レンズとの間に作り出され、
前記枠体に設けられた前記吸気口（２６）は、内側レンズと外側レンズとの間にそれぞれあり、それぞれがレンズ間空間と流体連通している２つの吸気口を備え、
それによって、吸気口端部とポンプ端部とを備える空気管（Ｔ）が、前記吸気口端部において前記吸気口の各々に接続され、圧縮空気供給源が、前記ポンプ端部において接続され、空気を前記空気管を通して前記レンズ間空間へと送り出すとき、正の空気圧が前記レンズ間空間に作り出され、空気流が前記切り込み（３４）を通じて外部に流れ出し、
それによって、浮遊微小粒子は、前記空気流によって、前記切り込みを通じて前記レンズ間空間へと入ることと、前記内側レンズに接触することとが防止され、
それによって、前記内側レンズの前記透明部分の透明性が維持され、
それによって、前記使用者は、前記外側レンズに堆積された浮遊微小粒子が前記使用者の視界を不明瞭とさせる場合でも、前記切り込みを通して見ることができる装置。
【請求項９】
請求項５または６に記載の装置において、
吸気口（２６）端部とポンプ端部とを備え、前記吸気口端部において前記吸気口に接続される空気管と、
前記空気管の前記ポンプ端部に接続された携帯型圧縮空気供給源と
をさらに備え、
前記使用者は前記圧縮空気供給源を運ぶことができ、前記使用者は自由に動くことができる装置。
【請求項１０】
請求項１から８のいずれか一項に記載の装置において、
前記レンズまたは各レンズは、前記枠体（２２）と一体的に形成される装置。
【請求項１１】
請求項１から４のいずれか一項に記載の装置において、
前記枠体（２２）は、除去可能なように取り外し可能な眉フラップ（７６０）によって、前記使用者の顔に動かないで密閉するように一致するように構成される装置。
【請求項１２】
請求項９に記載の装置において、
前記使用者によって着用される呼吸管を備えた呼吸マスク（Ｒ）をさらに備え、前記圧縮空気供給源も前記呼吸管（ＢＴ）に接続される装置。
【請求項１３】
請求項１乃至１２のいずれか一項に記載の装置において、
前記外側レンズ（３０）は前方へと隆起しており、前記切り込み（３４）は前記隆起の前で形成される装置。
【請求項１４】
請求項１から１３のいずれか一項に記載の装置において、
前記切り込み（３４）から外側に延出する中空の管をさらに備える装置。
【請求項１５】
請求項１４に記載の装置において、
前記中空の管は、前記切り込み（３４）の形状に実質的に一致する内部断面を有する装置。
【請求項１６】
請求項１から１５のいずれか一項に記載の装置において、
前記レンズ（３０）は透明である装置。
【国際調査報告】
2014524330.tif 000026
2014524330.tif 000027